(57)【要約】【課題】発熱による内部の電気部品の負担を抑えるながら、メンテナンスが容易にできるプロジェクタを提供する。【解決手段】プロジェクタ１は、投影部固定部材４と、投影部固定部材４にＬ型固定部５０を介して接続される金属板５と、金属板５の両面部分をはさんで上下２つに分割できる外部カバーを構成する上部カバー２、下部カバー３とを備えており、発熱量が多いランプ４６を備える投影部４５と、電源用基板６１、６２と制御基板７の空気の導通が互いに遮断されている。電源用基板６１、６２を含む空間２５と制御基板７を含む空間３５それぞれの温度を下げるファン９１、９２と、ランプ４６に近接して設けたファン９３とを備える。【選択図】図１
2007248761.tif 000002
【特許請求の範囲】
【請求項１】
ランプを用いて画像をスクリーンに投影する投影部を備えたプロジェクタにおいて、
本体内部は、前記投影部を収納する第１の空間と、回路基板を収納する第２の空間とに区分されており、
前記第２の空間は、前記回路基板を両面に取り付けた仕切り板で仕切られており、
前記ランプに近接して設けられ、第１の空間における空気の流れを形成する第１のファンと、前記第２の空間における前記仕切り板の両側に空気の流れを形成する第２のファンと、を備え、
本体カバーは、前記仕切り板の両面に対向する部分が個別に着脱可能に形成されており、
前記仕切り板の一方の面に取り付けられている回路基板が電源基板であり、他方に取り付けられている基板が論理回路基板であるプロジェクタ。
【請求項２】
ランプを用いて画像をスクリーンに投影する投影部を備えたプロジェクタにおいて、
本体内部は、前記投影部を収納する第１の空間と、回路基板を収納する第２の空間とに区分されており、
前記第２の空間は、前記回路基板を両面に取り付けた仕切り板で仕切られており、
さらに前記第１の空間および第２の空間における空気の流れを形成するファンが設けられているプロジェクタ。
【請求項３】
本体カバーは、前記仕切り板の両面に対向する部分が個別に着脱可能に形成されている請求項２に記載のプロジェクタ。
【請求項４】
前記仕切り板の一方の面に取り付けられている回路基板が電源基板であり、他方に取り付けられている基板が論理回路基板であり、
前記ファンは、前記ランプに近接して設けられ、第１の空間における空気の流れを形成する第１のファンと、前記第２の空間における前記仕切り板の両側に空気の流れを形成する第２のファンと、を有する請求項２に記載のプロジェクタ。
【発明の詳細な説明】
【技術分野】
【０００１】
本発明は、プロジェクタの筐体および内部の構造に関する。
【背景技術】
【０００２】
従来、ランプを用いて画像をスクリーンに投影するプロジェクタが実用化されている。プロジェクタは、上述したように、画像をスクリーンに投影するためにランプを用いることから、本体内部の発熱が大きい。したがって、本体に収納されている回路基板に搭載される電気部品にかかる熱負担も大きく、回路基板に対するメンテナンスが容易に行なえる構成が要望されている。
一方、電子機器において、本体に収納されているメンテナンスが容易に行なえる構成として、筐体内部に設けたシャーシの両面、およびケースハーフに、それぞれ回路基板を取り付ける構造が提案されている（特許文献１参照）。
【特許文献１】実開昭６３−１７０９８９号公報
【発明の開示】
【発明が解決しようとする課題】
【０００３】
しかしながら、プロジェクタは、上述したように、ランプを用いて画像をスクリーンに投影する構成であるため、本体に収納されている回路基板に対するメンテナンスが容易に行なえるようにすることだけでは十分といえず、この回路基板に搭載されている電気部品にかかる熱負担も抑える必要がある。したがって、上述の特許文献１で提案されている構成を、プロジェクタに適用しても、十分な対策とならず、プロジェクタの信頼性を向上させることができないという問題があった。
【０００４】
この発明の目的は、回路基板に搭載されている電気部品にかかる熱負担も抑えながら、この回路基板に対するメンテナンスが容易にできるプロジェクタを提供することにある。
【課題を解決するための手段】
【０００５】
本発明は、上述の課題を解決するための手段を以下のように構成している。
【０００６】
（１）
ランプを用いて画像をスクリーンに投影する投影部を備えたプロジェクタにおいて、
本体内部は、前記投影部を収納する第１の空間と、回路基板を収納する第２の空間とに区分されており、
前記第２の空間は、前記回路基板を両面に取り付けた仕切り板で仕切られており、
さらに前記第１の空間および第２の空間における空気の流れを形成するファンが設けられている。
【０００７】
この構成では、投影部を収納する第１の空間と、回路基板を収納する第２の空間とに区分したので、これらの空間毎に空気の流れを形成することができる。その結果、ランプの発熱が回路基板に与える影響を抑えられる。また、本体カバーを外せば、回路基板にアクセスできるのでメンテナンスが一層容易に行なえる。
【０００８】
（２）
本体カバーは、前記仕切り板の両面に対向する部分が個別に着脱可能に形成されている。
【０００９】
この構成では、仕切り板の両面に接続された回路基板の任意の一方、または両方を同時に露出させることができるので、アクセスしたい側の回路基板に対向する部分を外すことができ、メンテナンスが一層容易に行なえる。
【００１０】
なお、前記仕切り板の両面に対向する部分の本体ケースとは、例えば、窓を設けて本体ケースの両面に対向する面が個別に開放される場合や、ケースが仕切り板の位置で２分割される場合を含む。
【００１１】
（３）
前記仕切り板の一方の面に取り付けられている回路基板が電源基板であり、他方に取り付けられている基板が論理回路基板であり、
前記ファンは、前記ランプに近接して設けられ、第１の空間における空気の流れを形成する第１のファンと、前記第２の空間における前記仕切り板の両側に空気の流れを形成する第２のファンと、を有する。
【００１２】
この構成では、電源基板は論理回路基板よりも発熱量が多く、かつ論理回路基板は熱に対する許容度が低いという特性を考慮し、空間を仕切っている。即ち、空気を介して電源基板の発熱が論理回路基板に悪影響を与えるのを防止している。
また、第１のファンを第２のファンとは別に前記ランプに近接して設けているので、投影部周辺の温度についても効率よく下げることができる。
【発明の効果】
【００１３】
本発明によれば、発熱による内部の電気部品の負担を抑えながら、メンテナンスが容易に行なえる。
【発明を実施するための最良の形態】
【００１４】
図１を用いて、本実施形態のプロジェクタの構成について説明する。図１は、プロジェクタの構成図であり、図１（Ａ）はプロジェクタの外観図、図１（Ｂ）は図１（Ａ）のＡ−Ａ断面図、図１（Ｃ）は、図１（Ａ）のＢ−Ｂ断面図である。
【００１５】
図１（Ａ）に示すように、プロジェクタ１は、上部カバー２、下部カバー３と、レンズ４７と、４つのキー８１と、ファン９１〜９３を備えている。また、レンズ４７側付近の内部には、ランプ４６を有する投影部４５を備えている。
【００１６】
図１（Ｂ）に示すように、プロジェクタ１は、画像をプロジェクタ１外のスクリーンに投影する投影部４５を収納する投影部固定部材４と、投影部固定部材４の外部との空間を仕切る仕切り板４１と、仕切り板４１に固定するＬ型固定部５０を介して接続され上部カバー２、下部カバー３で囲まれた内部の空間２５、３５を互いに仕切る金属板５とを備え、これら投影部固定部材４、金属板５により３つの空間に仕切られている。また、図１（Ｂ）に示すように金属板５の上部カバー２側に電源用基板６１を、下部カバー３側に制御基板７を備え、上部カバー２の上面にはキー８１を沈めこんで保持する操作キー基板８を備えている。
【００１７】
図１（Ｃ）に示すように、投影部４５は長手に構成され、一方の端部にはランプ４６と共に、このランプに近接させてファン９３が配置されている。他方の端部にはレンズ４７が配置されている。また、図１（Ｃ）に示すように、金属板５の上部カバー２側には、図１（Ｂ）で示した電源用基板６１の他に電源用基板６２を備えている。
【００１８】
上部カバー２、下部カバー３は、プロジェクタ１の内部の構成を格納する外部ケースである。図１（Ａ）〜（Ｃ）に示すように、プロジェクタ１の外部ケースは、プロジェクタ１の高さの中央部で上部カバー２、下部カバー３の２つに分割されている。上部カバー２、下部カバー３は、接合部２３、３２で金属板５の３辺の縁５1、５２、５３（Ｌ型固定部５０側以外の辺、後述図２で図示。）を金属板５の両面から包むように挟み込んで金属板５を固定する。接合部２３、３２は、前述図１（Ｂ）、図１（Ｃ）に示すように縁５１〜５３の角が納まって接合するように、金属板５の板厚の半分の厚みが削られたくぼみが形成されている。また、接合部２４、３３は、図１（Ｂ）に示すようにクランク状の断面の溝を介して接合されている。
【００１９】
投影部固定部材４は、投影部４５を収納する固定部材である。また、投影部保持部材４は、前述のとおり仕切り板４１を備え、仕切り板４１は、投影部保持部材４と投影部保持部材４の外部を仕切っている。ここで、投影部保持部材４の外部とは、図２（Ｂ）に示す金属板５と上部カバー２で区切られた空間２５、および金属板５と下部カバー３で区切られた空間３５である。
【００２０】
なお、投影部保持部材４の内部は前述「課題を解決するための手段」の（１）に記載の「第１の空間」に相当し、空間２５、３５は前述「課題を解決するための手段」の（１）に記載の「第２の空間」に相当する。
【００２１】
投影部４５は、図１（Ｃ）に示すように、ファン９３に近接して配置されたランプ４６と、レンズ４７他図示しないレンズその他の構成を備え、レンズ等を通してランプ４６の光をレンズ４７から出力してスクリーンに投光して画像を映し出す。この画像を映し出す方法については、公知技術を用いればよく、ここでは説明を省略する。
【００２２】
金属板５は、図１（Ｂ）に示すようにＬ型固定部５０を介して投影部固定部材４の仕切り板４１に固定された電気伝導性がある板であり、電源用基板６１、６２、制御基板７のアースポイントとなっている。また、金属板５は、上部カバー２、下部カバー３内部の投影部固定部材４以外の空間を２つの空間２５と空間３５に仕切っている。これにより、電源用基板６１、６２の熱が、空気を介して制御基板７のある空間３５へ流入するのを防ぐことができる。
【００２３】
また、金属板５は切り欠き部５４が設けられており、電源用基板６１、６２から制御基板７へ電源を供給する導線５４１と、操作キー基板８から制御基板７にキー８１のオン、オフの情報を伝達する導線５４２を通す。なお、図１上では、導線５４１、５４２は１本ずつであるが、実装上は必要本数設けるようにする。
【００２４】
図１（Ｃ）に示す電源用基板６１、６２は、プロジェクタ１に電源を供給するための整流回路、ヒューズ等の電源保護回路を金属板５の上方に備えており、金属板５の空間２５側に４つの固定部材６３を介してそれぞれ固定されている。この電源用基板６１、６２は、プロジェクタ１の投影部４５、制御基板７に電源を供給する。電源用基板６１、６２は金属板５の上方に設けられているので、電源用基板６１、６２の熱は上方の空気に伝達され、ファン９１、９２により効率よくこの熱を排出させることができるので、金属板５を介して制御基板７に熱が伝達されるのを軽減できる。
【００２５】
図１（Ｂ）、（Ｃ）に示す制御基板７は、プロジェクタ１の動作を制御するための論理回路を構成する制御用ＩＣ、制御用ＲＯＭ等を備えており、金属板５の空間２５側に４つの固定部材７０を介して固定されている。
【００２６】
図１（Ｂ）、（Ｃ）に示す操作キー基板８は、キー８１の操作を受け付けて制御基板７に指示する回路基板であり、上部カバー２に固定部材８０を介して保持されており、キー８１は上部カバー２に落とし込んで保持されている。
【００２７】
図１（Ｂ）、（Ｃ）に示すファン９１、９２は、上部カバー２、下部カバー３の仕切り板４１と対向する後方面にファン９１の回転する中心軸（ファン９２については図１（Ｂ）の中心軸９２０、ファン９１も同様である。）が金属板５の面に沿って取り付けられている。ファン９１、９２は、空気吸入口２２から空間２５に、空気吸入口３１から空間３５に空気を吸引して、これらの空間２５、３５内部の空気を対流させる。これにより、空気が空気吸入口２２、３１からファン９１、９２に流れるので、空間２５、３５いずれの熱をも排出して空間２５、３５の温度を下げる。
【００２８】
図１（Ａ）、（Ｃ）に示すファン９３は他のファン９１、９２と独立しており、ランプ４６に近接して配置され、空気吸入口２１から空気を吸引してランプ４６から発生する大量の熱を直ちに排出する。これにより投影部４５内部の空間の温度を効率よく下げることができる。
【００２９】
ここで、熱の発生量は、投影部固定部材４内部のランプ４６が最も多く、次いで接合部２４内部の電源用基板６１、６２、次いで空間３５内部の制御基板７となる。前述のとおり、投影部固定部材４内部と空間２５と空間３５は互いに仕切られているから、電源用基板６１、６２、制御基板７はランプ４６による発熱にさらされることが抑えられ、電気部品の負担を抑えることができる。さらに、制御基板７よりも発熱する電源用基板６１、電源用基板６２が入る空間２５と、熱に最も弱い制御ＩＣ等を備える制御基板７が入る空間３５とが仕切られているから、空気を介して制御基板７に電源用基板６１、６２の熱が流入するのを防ぐことができ、制御基板７のＩＣの熱負担を抑えることができる。
【００３０】
なお、ファン９１〜９３は、このファンの内部へ空気を送り出し、空気吸入口２１、２２、３５から排出してプロジェクタ１の内部の空間の温度を下げる構成であっても良い。この方法によってもプロジェクタ１の内部の空間の温度を下げることができる。また、ファン９１、ファン９２は、上部カバー２、下部カバー３に取り付けられている構成ではなく、金属板５に取り付ける構成でも良い。
【００３１】
次に、図２を用いて、図１（Ｂ）、（Ｃ）を補助的に参照しつつ、プロジェクタ１の上部カバー２、下部カバー３の構成、分解、組み立てについて詳しく説明する。図２は、プロジェクタ１の上部カバー２、下部カバー３の分解／組み立て図である。
【００３２】
図２に示すように、上部カバー２、下部カバー３は、６面のうちの１面が開放した直方体の容器であり、上部カバー２、下部カバー３には、レンズ４７、ファン９１、９２用の切り欠き部２６、３６、３７を備えている（なお、下部カバー３の切り欠き部３７と同様、上部カバー２にもファン９１、９２用の切り欠き部２７がある。）。また、ファン９１〜９３が空気を吸い込むために、上部カバー２は空気吸入口２１、２２を、下部カバー３は空気吸入口３１を備えている。さらに、空気吸入口２１の空気を投影部４５内部に通すため、投影部４５には空気吸入口２１と位置を合わせるようにして空気吸入口４８が設けられている。
【００３３】
ファン９１、９２の下部カバー３側にある切り欠き部３７の付近に設けたねじ（不図示）を外して上部カバー２を外すと、上部カバー２にはファン９１、９２が固定されたまま上部カバー２を外すことができる。このように、上部カバー２、下部カバー３を外せば、金属板５の両面に接続された電源用基板６１、電源用基板６２、制御基板７の一方、または両方を同時に露出させることができるので、アクセスしたい側の回路基板に対向するカバー（２または３）を外すことができ、メンテナンスが容易に行なえる。例えば、アクセスしたい側の回路基板にプローブを当てて診断することができる。
【００３４】
分解したプロジェクタ１を組み立てるときは、金属板５の縁５１〜５３の３辺と投影部固定部材４において、金属板５の両面側から、接合部２３と接合部３２、接合部２４と接合部３３を挟み込むように組み立てる。これらのカバーの内部を図２（Ｂ）、（Ｃ）に示す空間２５、３５に仕切ることができる。図２では接合部２３、３２の構成を明示していないが、前述のとおり、接合部２３、３２は縁５１〜５３の角が納まって接合するように金属板５の板厚の半分の厚みが削られた接合部２３が形成されており（図１（Ｂ）、図１（Ｃ）参照。）、これにより金属板５を固定する。また、図２に示す接合部２４、３３には、前述のとおり図１（Ｂ）に示すような接合部２４、３３が形成されており、これら接合部２４の溝により上部カバー２、下部カバー３を組み合わせることで金属板５を安定させることができる。
【００３５】
なお、以上の実施形態のプロジェクタは、上部カバー２、下部カバー３というように上下に分割した構成であるが、プロジェクタ１を９０度回転させて縦置きにして、左右のカバーとしても良い。また、上部カバー２、下部カバー３というように２つに分割するのではなく、電源用基板６１、６２に対向する板状部材、制御基板７に対向する板状部材がねじ止めされ、開放可能にする構成でもよい。
【００３６】
また、ファン９１、９２は、プロジェクタ１のファン９３がある側面に設けても良い。このようにすれば、プロジェクタ１の後方（レンズ４７のある前面と対向する面）からユーザに向けて熱が排出されないという利点がある。
【００３７】
上部カバー２、下部カバー３は、前述「課題を解決するための手段」の（１）に記載の「前記仕切り板の両面に対向する部分」に相当する。
【図面の簡単な説明】
【００３８】
【図１】本実施形態のプロジェクタの構成図
【図２】本実施形態のプロジェクタのカバーの分解／組み立て図
【符号の説明】
【００３９】
１−プロジェクタ、  ２−上部カバー、  ２１−空気吸入口、  ２２−空気吸入口
２３−接合部、  ２４−接合部、  ２５−空間、  ２６−切り欠き部、  ２７−切り欠き部
３−下部カバー、  ３１−空気吸入口、  ３２−接合部、  ３３−接合部
３５−空間、  ３６−切り欠き部、  ３７−切り欠き部
４−投影部固定部材、  ４１−仕切り板、  ４５−投影部
４６−ランプ、  ４７−レンズ、  ４８−空気吸入口
５−金属板、  ５０−Ｌ型固定部、  ５１−縁、  ５２−縁、  ５３−縁
５４−切り欠き部、  ５４１−導線、  ５４２−導線
６１−電源用基板、  ６２−電源用基板、  ６３−固定部材
７−制御基板、  ７０−固定部材
８−操作キー基板、  ８０−固定部材、  ８１−キー
９１−ファン、  ９２−ファン、  ９２０−中心軸、  ９３−ファン
【図１】
2007248761.tif 000003
【図２】
2007248761.tif 000004